(57)【特許請求の範囲】
【請求項１】
縦置き型の本体装置と、
長方形の表示画面を有する表示部と、
この表示部と前記本体装置との間に介設され、前記本体装置に対し前記表示部を縦・横方向に回転自在とする回転機構部を内蔵する箱状の回転機構部ケースと、
この回転機構部ケースと前記本体装置との間に介設され、前記本体装置に対し前記回転機構部ケースを前方へ回動自在とする回動部と、を備え、
前記表示部ケースの前記本体装置に対する前記回転機構部による縦・横方向の切り替えと前記回動部による前方への角度調節とを可能に構成し、
前記回転機構部は、
前記回転機構部ケースの前面に形成した円形穴の周囲に沿って後側に配置され、外周に円周方向に沿ったギヤ部を形成して前記表示部の背面に固定される回転部材と、
この回転部材のギヤ部に噛み合って前記回転機構部ケース内に固定されるダンパと、
前記回転機構部ケースの前面に形成され、前記回転部材の回転中心を中心とする複数の円弧状溝と、
前記回転機構部ケースの前面の後側に突出して一体に形成され、前記複数の円弧状溝のうち１本の円弧状溝を後方から閉じるトンネル部と、
前記表示部の背面に固定され、前記トンネル部がない開放形状の円弧状溝に沿って円周方向にスライドするキャッチ部品取付ボスと、
前記表示部の背面に固定され、前記トンネル部を有する１本の円弧状溝に沿って円周方向にスライドし、かつ当該円弧状溝の端部に乗り上げ可能なＴ字形リブとを有すること、を特徴とする電子機器。
【請求項２】
前記回転機構部ケースの角部が曲面により形成されていること、を特徴とする請求項１記載の電子機器。
【請求項３】
前記回転部材の回転中心を、前記表示画面の画面中心からずらして構成したこと、を特徴とする請求項１または２記載の電子機器。
【請求項４】
前記回転機構部は、
前記回転機構部ケースの前面の後側に突出して一体に形成され、前記開放形状の円弧状溝の端部外側に位置するキャッチ用ボスと、
前記キャッチ部品取付ボスに回動自在に設けられ、前記キャッチ用ボスに係合可能なキャッチ部品とを有すること、を特徴とする請求項１から３のいずれか一項記載の電子機器。
【発明の詳細な説明】
【０００１】
【発明の属する技術分野】
本発明は、縦長画面及び横長画面でのフル表示を可能とするよう縦・横に回転可能な表示部を備える電子機器に関するものである。
【０００２】
【従来の技術】
例えば、ワープロやパソコン等の電子機器として、横長の固定表示画面や縦長の固定表示画面を備えるものがあり、また、横長・縦長表示可能な固定表示画面を備えるものもあり、さらに最近では、縦・横に回転可能な表示部を備えるものもある。
そして、縦・横に回転可能な表示部を備える電子機器において、表示部の中心、即ち、表示画面の中心にて表示部を回転させるようにしていた。
【０００３】
【発明が解決しようとする課題】
ところで、従来の横長の固定表示画面を備える電子機器では、縦形の伝票や書類等を画面に表示する場合、全体を縮小して表示するか、または、部分的に表示しながらスクロールにて行送りしなければならないことがある。しかし、全体を縮小して表示すると、文字の大きさが小さくなって、文字の判読が困難となってしまい、また、部分的な表示では、全体のレイアウトが把握できない等の問題があった。なお、縦長の固定表示画面を備える電子機器において、横形の伝票や書類等を画面に表示する場合にも、横長の固定表示画面に縦型の伝票や書類等の表示する場合と同様の問題があった。そして、横長・縦長表示可能な固定表示画面を備える電子機器においても、機器全体形状がラップトップ形状であったりするため、平面スペースが大きくなってしまうなどの問題があった。
【０００４】
また、表示部をその表示画面の中心にて回転させる電子機器では、横長表示による画面位置または縦長表示による画面位置を決めた時点で各々の表示位置が決まるため、例えば、横長表示の画面位置を最適にした場合でも、縦長表示の際の画面位置が必ずしも最適ではないといった問題がある。
即ち、表示部に特に液晶表示装置を使用した場合には、視野角が狭いため、縦長表示にしたときに画面下側が見え難くなる等の問題があった。
このような不具合を解消するためには、例えば、表示部を横長表示位置から縦長表示位置に回転してから上に引き上げるようにする等の別の構造を付加する必要があり、その分だけ構造が複雑となって、コストアップの要因となる問題があった。
【０００５】
本発明の課題は、縦長画面及び横長画面でのフル表示を可能とするよう縦・横に回転可能な表示部を備える電子機器であって、省スペース化が図れて、表示部を見易い位置にセットでき、かつ、操作性に優れるようにすることである。
また、本発明は、縦長画面及び横長画面でのフル表示を可能とするよう縦・横に回転可能な表示部を備える電子機器であって、縦長や横長の表示画面位置を最適に設定でき、しかも、簡単な構造での実現によりコストダウンにも寄与できるようにすることも課題としている。
【０００６】
【課題を解決するための手段】
以上の課題を解決すべく請求項１記載の発明は、例えば、ワープロやパソコン等における縦置き型の本体装置と、液晶表示画面等による長方形の表示画面を有する表示部と、を備える電子機器であって、その表示部と前記本体装置との間に介設され、前記本体装置に対し前記表示部を縦・横方向に回転自在とする回転機構部を内蔵する箱状の回転機構部ケースと、この回転機構部ケースと前記本体装置との間に介設され、前記本体装置に対し前記回転機構部ケースを前方へ回動自在とするチルトユニット等の回動部と、を備え、前記表示部の前記本体装置に対する前記回転機構部による縦・横方向の切り替えと前記回動部による前方への角度調節、即ち、チルト角度調節とを可能に構成し、前記回転機構部は、前記回転機構部ケースの前面に形成した円形穴の周囲に沿って後側に配置され、外周に円周方向に沿ったギヤ部を形成して前記表示部の背面に固定される回転部材と、この回転部材のギヤ部に噛み合って前記回転機構部ケース内に固定されるダンパと、前記回転機構部ケースの前面に形成され、前記回転部材の回転中心を中心とする複数の円弧状溝と、前記回転機構部ケースの前面の後側に突出して一体に形成され、前記複数の円弧状溝のうち１本の円弧状溝を後方から閉じるトンネル部と、前記表示部の背面に固定され、前記トンネル部がない開放形状の円弧状溝に沿って円周方向にスライドするキャッチ部品取付ボスと、前記表示部の背面に固定され、前記トンネル部を有する１本の円弧状溝に沿って円周方向にスライドし、かつ当該円弧状溝の端部に乗り上げ可能なＴ字形リブとを有すること、を特徴としている。
【０００７】
このように、先ず、縦置き型の本体装置と長方形の表示画面を有する表示部との間に介設され、本体装置に対し表示部を縦・横方向に回転自在とする回転機構部を備えた電子機器なので、表示部を本体装置に対しその間に介設した回転機構部により縦・横に回転することが可能となり、縦長画面でのフル表示及び横長画面でのフル表示が可能となる。また、このような縦・横に回転する表示部を備える本体装置を縦置き型としたことにより、置いた状態での省スペースを実現できる。さらに、回転機構部と本体装置との間に介設され、本体装置に対し回転機構部を、例えば、その上端側を支点として前方へ回動自在とする回動部を備えているので、表示部を本体装置に対し回転機構部との間に介設した回動部により上端側を支点として前方へ回動してチルトでき、即ち、表示画面が見易い位置に表示部を前方へチルトして表示部を任意の角度位置にセットできる。しかも、本体装置に対し回転機構部と一体的に表示部がチルトされるので、チルト状態であっても表示部を回転機構部により回転させられる。
その上、表示部の回動動作の過程において、回転機構部ケース前面の円形穴の周囲に沿って後側に配置され、表示部背面に固定した回転部材の外周のギヤ部に、回転機構部ケース内に固定したダンパが噛み合っているので、このダンパにより回転操作力に対し一定の抵抗力を与えて、回転速度差を小さく抑えることにより、操作感を良くすると共に、衝撃を与えることがなく、例えば、重心の位置がずれていても回転するようなことがなく、また、回転の途中で止めてもその位置で止まり、不自然に回転するようなこともない。
さらに、回転機構部ケースの前面に、回転部材の回転中心を中心とする複数の円弧状溝を形成し、その複数の円弧状溝に沿って円周方向にスライドするキャッチ部品取付ボス及びＴ字形リブを、表示部の背面に固定したので、回転部材の回転中心を中心とする複数の円弧状溝に沿ってキャッチ部品取付ボス及びＴ字形リブが移動することにより表示部が回転する。
また、回転機構部ケースの前面の後側に突出して１本の円弧状溝を後方から閉じるトンネル部を一体に形成することで、他の開放形状の円弧状溝を有しながら回転機構部ケースの前面の強度を上げることができる。
しかも、後方から閉じるトンネル部を有する１本の円弧状溝の端部に乗り上げ可能なＴ字形リブを有しているので、表示部が縦・横の姿勢状態において、トンネル部を有する１本の円弧状溝の端部にＴ字形リブの上面が乗り上がることにより、回転機構部ケースに対する支持強度を上げることができる。
【０００８】
なお、請求項２記載の発明は、請求項１記載の電子機器であって、前記回転機構部ケースの角部が、樹脂成形時の面取りＲ加工等による曲面により形成されている構成、を特徴としている。
【０００９】
このように、請求項１記載の回転機構部ケースの角部が曲面により形成されている電子機器なので、本体装置に対し表示部を回転する際に、例えば、回転機構部ケースが大形状の場合に、本体装置に固定側の回転機構部ケースの角部が邪魔になるようなことはなく、ケース角部の曲面形状により手指をガイドして操作性に優れる。
【００１０】
そして、請求項３記載の発明は、請求項１または２記載の電子機器であって、前記回転部材の回転中心を、前記表示画面の画面中心から、例えば、側方かつ上方等にずらして構成したこと、を特徴としている。
【００１１】
このように、請求項１記載の回転部材の回転中心を、表示画面の画面中心からずらしたことにより、本体装置に対する表示部の縦・横への回転による縦長表示画面及び横長表示画面のときの画面位置を最適に設定することが可能となる。また、表示部の回転中心を表示画面の画面中心からずらすだけの簡単な構造なので、コストダウンが図れる。
【００１２】
なお、請求項４記載の発明は、請求項１から３のいずれか一項記載の電子機器であって、前記回転機構部は、前記回転機構部ケースの前面の後側に突出して一体に形成され、前記開放形状の円弧状溝の端部外側に位置するキャッチ用ボスと、前記キャッチ部品取付ボスに回動自在に設けられ、前記キャッチ用ボスに係合可能なキャッチ部品と有している構成、を特徴としている。
【００１３】
例えば、請求項３記載の回転機構部において、表示画面の画面中心からずらした位置を中心とする円弧状溝とすることで、表示部を本体装置に対し画面中心からずらした位置を中心として回転させられる。
また、以上のような回転過程を経て表示部が縦・横の回転位置に至ると、回転機構部ケース前面の後側に突出して一体に形成され、開放形状の円弧状溝の端部外側に位置するキャッチ用ボスに、キャッチ部品取付ボスに各々回動自在に組み付けたキャッチ部品がそれぞれ係合状態となって、表示部の縦・横の姿勢が保持される。
【００１４】
【発明の実施の形態】
以下に、本発明に係る電子機器の実施の形態例を図１から図７に基づいて説明する。先ず、図１は本発明を適用した電子機器の一例としてのパソコンの外観を示す概略斜視図であり、図２はそのパソコンにおける本体装置に対する表示部の回転機能を示するもので、（ａ）は横長表示画面の状態を示した斜視図、（ｂ）は表示部の回転途中の状態を示した斜視図、（ｃ）は縦長表示画面の状態を示した斜視図である。そして、図３は図１のパソコンにおける本体装置と表示部の関係を示すもので、本体装置と表示部との間に介設される回転機構部を透視状態で示した概略正面図であり、図４はその本体装置と表示部と回転機構部及びそのケースの要部縦断側面図である。さらに、図５は図３及び図４に示される回転機構部及びそのケースの分解斜視図である。また、図６は図１のパソコンにおける本体装置に対する表示部のチルト状態を示した概略側面図で、図７は図３及び図４と図６に示されるチルト用レリーズ機構部の構成を示す一部破断の要部拡大側面図である。
【００１５】
以上の図１から図７において、１は本体装置、２は本体ケース、３はキーボード、４はケーブル、５はマウス、６はケーブル、７は表示部、８は表示部ケース、９は表示画面、１０は回転機構部、１１は回転機構部ケース、１２は曲面、１３は中央円形穴、１４，１５は円弧状溝、１６はトンネル部、１７は段面部、１８はキャッチ用ボス、１９はケーブル通し穴、２１は円形凹部、２２は中央円形凸部、２３はケーブル通し穴、２４はキャッチ部品取付ボス、２５はＴ字形リブ、２６は回転部材取付ボス、２７はキャッチ部品、２８はキャッチ爪、３１はリング状回転部材、３２はギヤ部、３３は取付片、３４はオイルダンパ、３５は回動部（チルトユニット）、３６は切欠穴、３７は挿入穴、３８は係止溝、４１はチルトロック及びレリーズレバー、４２は支軸、４３は係止爪、４４は押し板部、Ｏ1 は回転中心、Ｏ2 は画面中心である。
この実施の形態例において、パソコンは、図１に示されるように、縦置き型の本体装置１の本体ケース２にキーボード３のケーブル４を接続し、キーボード３にマウス５のケーブル６を接続して、本体ケース２の前面側に表示部７を備えている。
表示部７は、その表示部ケース８の前面に液晶表示画面による長方形の表示画面９を有するもので、この表示部７の背面と本体ケース２の前面との間に、後述する回転機構部１０が内蔵された回転機構部ケース１１を介設して、図２に示されるように、本体装置１に対し表示部７が縦・横に回転できるようになっている。
【００１６】
即ち、回転機構部１０は、図３から図５に示すように、箱状をなす回転機構部ケース１１に内蔵されるもので、回転機構部ケース１１の下部左右の角部は樹脂成形時の大きな面取りＲ加工により曲面１２，１２に形成されている。
回転機構部ケース１１は、前ケース１１ａ及び後ケース１１ｂからなるもので、前ケース１１ａには、中央円形穴１３と、その周囲に沿って円周方向に延びる３本の円弧状溝１４，１４，１５が形成されて、そのうちの１本の円弧状溝１５には、後方から閉じるようにトンネル部１６が前ケース１１ａと一体に形成されている。
このように、円弧状溝１５を後方から閉じるトンネル部１６を前ケース１１ａと一体に形成することで、他の２本の開放形状の円弧状溝１４，１４を有しながら前ケース１１ａの強度を上げている。
以上のトンネル部１６の端部から突出した円弧状溝１５の両端部には、段面部１７，１７が形成されている。
さらに、前ケース１１ａには、トンネル部１６がない２本の円弧状溝１４，１４の端部外側にそれぞれ位置する菱形のキャッチ用ボス１８，１８，１８，１８が一体に形成されている。
なお、後ケース１１ｂの上部片側には、図５に示すように、横長小窓状のケーブル通し穴１９が形成されている。
【００１７】
また、表示部７の箱状をなす表示部ケース８の後ケース８ａの背面には、大径の円形凹部２１が形成されていて、この大径凹部２１には、その中央に回転機構部ケース１１（前ケース１１ａ）の中央円形穴１３より小径の中央円形凸部２２が形成されると共に、その中央円形凹部２２の一部分にケーブル通し穴２３が形成されている。大径凹部２１には、さらに、中央円形凸部２２の外側において、２本のキャッチ部品取付ボス２４，２４と１個のＴ字形リブ２５がそれぞれ一体に形成されており、このＴ字形リブ２５は上面が円周方向に沿って延びている。なお、中央円形凸部２２上には、３本の回転部材取付ボス２６，２６，２６が一体に形成されている。そして、２個のキャッチ部品２７，２７が用意され、このキャッチ部品２７は、弾性変形可能な樹脂により形成されていて、二股状をなす一対のキャッチ爪２８，２８を有するものである。さらに、回転機構部ケース１１（前ケース１１ａ）の中央円形穴１３の周囲に沿うリング状回転部材３１が用意され、このリング状回転部材３１は、その外周に円周方向に沿ってギヤ部３２を形成すると共に、内周に３個の取付片３３，３３，３３を一体に形成してなる。
【００１８】
表示部ケース８と回転機構部ケース１１との組み付けは以下のようにして行う。
先ず、表示部ケース８の後ケース８ａと回転機構部ケース１１の前ケース１１ａとを合わせる際に、２本のキャッチ部品取付ボス２４，２４を開放形状の円弧状溝１４，１４にそれぞれ臨ませると共に、Ｔ字形リブ２５をトンネル部１６を有する円弧状溝１５に臨ませる。
そして、開放形状の円弧状溝１４，１４に臨ませたキャッチ部品取付ボス２４，２４には、キャッチ部品２７，２７をそれぞれ回動自在にビス止めする。
また、回転機構部ケース１１の前ケース１１ａの中央円形穴１３の周囲に沿うようにして後ろ側からリング状回転部材３１を合わせ、このリング状回転部材３１の外周のギヤ部３２に噛み合うオイルダンパ３４を前ケース１１ａにビス止めすると共に、リング状回転部材３１の３個の取付片３３，３３，３３を回転部材取付ボス２６，２６，２６にそれぞれビス止めする。
なお、図示しないが、リング状回転部材３１の一部に回転検出スイッチを取り付けておき、この回転検出スイッチが、回転機構部ケース１１の前ケース１１ａの中央円形穴１３の周囲に一体に形成したストッパー突起２９，２９の間を移動するように設定しておく。
【００１９】
以上のようにして回転機構部１０を組み付けた後、前ケース１１ａと後ケース１１ｂをビス止めして回転機構部ケース１１を合体する。
以上において、図３に示すように、本体装置１に対する表示部７の回転機構部１０により回転中心、即ち、リング状回転部材３１の回転中心Ｏ1 を、正面から見て表示画面９の画面中心Ｏ2 に対して右斜め上に縦横とも同じｂ寸法だけずらした位置に設定している。
これにより、表示部３を表示画面９が縦長画面となるように縦に回転した状態において、本体ケース２前面の下部突出部と表示部ケース８の短辺部（仮想線参照）との間に隙間ａが確保される。
【００２０】
そして、本体ケース２と回転機構部ケース１１との間には回動部をなすチルトユニット３５を介設して、図６に示すように、表示部ケース８と一体に回転機構部ケース１１を本体ケース２に対し上端側を支点としてチルト操作できるようにしている。
なお、チルトユニット３５は、公知のように、所定の回転角度位置で停止できる機能を具備するものである。
さらに、図３及び図４、図６及び図７に示すように、回転機構部ケース１１の下辺部中央に、その背面側及び下方に開放した切欠穴３６を形成する一方、本体ケース２の対応する前ケース２ａの部分に挿入穴３７を形成して、この挿入穴３７の直ぐ上の前ケース２ａ背面に係止溝３８を形成している。
回転機構部ケース１１の切欠穴３６の内方には、チルトロック及びレリーズレバー４１が組み込まれており、このチルトロック及びレリーズレバー４１は、下端の操作部が切欠穴３６から下方に僅かに突出した状態で、支軸４２を支点として回動自在となっている。
チルトロック及びレリーズレバー４１は、弾性変形可能な樹脂製のもので、切欠穴３６から後方に突出して本体ケース２（前ケース２ａ）の挿入穴３７から係止溝３８に係止可能な係止爪４３を一体に有すると共に、回転機構部ケース１１の後ケース１１ｂの前面に当接する押し板部４４を一体に有している。
【００２１】
次に、以上のような回転機構部１０及びチルトユニット３５を備えた表示部７の回転の仕方とチルト操作の仕方について説明する。
先ず、表示部７を縦・横に回転する場合は、表示部ケース８の一部を手で持って行う。
即ち、表示部ケース８の一部を手で持って、例えば、図２（ａ）及び図３実線に示すように、表示画面９を横長画面にした状態から、図２（ｃ）及び図３仮想線で示すように、表示画面９を縦長画面に切り替える際には、開放形状の円弧状溝１４，１４に沿ってキャッチ部品取付ボス２４，２４及びキャッチ部品２７，２７がそれぞれ移動すると共に、トンネル部１６を有する円弧状溝１５に沿ってＴ字形リブ２５が移動することで、図２（ｂ）に示すように、表示部ケース８が回転していく。
【００２２】
このような表示部７の回動動作の過程において、表示部ケース８と一体に結合したリング状回転部材３１の外周のギヤ部３２にオイルダンパ３４が噛み合っているので、このオイルダンパ３４により回転操作力に対し一定の抵抗力を与えて、回転速度差を小さく抑えることにより、操作感を良くすると共に、衝撃を与えることがなく、例えば、重心の位置がずれていても回転するようなことがなく、また、回転の途中で止めてもその位置で止まり、不自然に回転するようなこともない。
以上のような回転過程を経て表示部７が縦・横の回転位置に至ると、キャッチ部品取付ボス２４，２４に各々回動自在に組み付けたキャッチ部品２７，２７の各端部の二股状のキャッチ爪２８，２８が、菱形のキャッチ用ボス１８，１８にそれぞれ弾性変形して抱きつくように係合状態となる。
【００２３】
即ち、表示部ケース８の回転によって、菱形のキャッチ用ボス１８に二股状のキャッチ爪２８がガイドされながらキャッチ部品２７が進んで行く。この時、キャッチ部品２７は自由回転できるため、常にキャッチ用ボス１８に二股状のキャッチ爪２８が向かって行くと共に、その二股状のキャッチ爪２８の内側と外側のたわみが常に均等な力を受けながらキャッチ用ボス１８をキャッチして行く。
従って、適正な力によるキャッチ力が働き、キャッチ感も向上する。
このようにして、表示部７の縦・横の姿勢が保持される。
そして、表示部７が縦・横の姿勢に保持された状態において、トンネル部１６を有する円弧状溝１５の端部の断面部１７にＴ字形リブ２５の上面が乗り上がっているため、回転機構部ケース１１（前ケース１１ａ）に対する支持強度を上げることができる。
【００２４】
また、表示部７の回転過程において、大形状の回転機構部ケース１１の下部左右の角部が大きなＲ形状による曲面１２，１２となっているので、表示部ケース８を持つ手指の邪魔になることがなく、手指を曲面１２によりガイドして操作性の向上が図られている。なお、表示部７の横から縦、または、縦から横への表示画面９の切り替えの際において、リング状回転部材３１に取り付けた回転検出スイッチが、回転機構部ケース１１の前ケース１１ａの中央円形穴１３周囲のストッパー突起２９，２９の間を移動し、一方のストッパー突起２９、或いは他方のストッパー突起２９から回転検出スイッチが離れ、スイッチのオフ状態となる回転移動の途中で表示を縦長と横長とに切り替え制御する方式を採用している。これにより、回転検出スイッチが１個で足りるものとなっている。また、本体装置１と表示部７とを繋ぐ制御信号用及び電源用のケーブルは、回転機構部ケース１１（前ケース１１ａ及び後ケース１１ｂ）のケーブル通し穴１９及び回転中心部分の中央円形穴１３と表示部ケース８（後ケース８ａ）のケーブル通し穴２３に通してあるので、表示部７の縦・横の回転の際に表示部ケース８と回転機構部ケース１１との間に９０度の回転に操作が生じるが、ケーブルにはごく僅かなねじれと曲率の大きな曲げが生じるだけで、ケーブルに悪影響を与えるねじれは殆ど起こらない。
【００２５】
しかも、図３に示すように、表示部７の回転中心Ｏ1 を、正面から見て表示画面９の画面中心Ｏ2 に対して右斜め上に縦横とも同じｂ寸法だけずらした位置に設定したため、仮想線で示したように、表示部３を表示画面９が縦長画面となるように縦に回転した状態において、単に画面中心Ｏ2 を中心として表示部７を回転させた場合よりも、表示部ケース８の短辺部を、本体ケース２前面の下部突出部より寸法ａだけ上にすることができる。
このように、表示部７の回転中心Ｏ1 を画面中心Ｏ2 からずらしたことにより、表示画面９の縦長及び横長状態のときの画面位置を最適に設定でき、回転中心Ｏ1 を画面中心Ｏ2 からずらすだけの簡単な構造により、コストダウンも達成できる。
【００２６】
そして、以上のような表示部７の縦・横の回転に加えて、表示部ケース８の下部、または、回転機構部ケース１１の下部を手で持って、上方のチルトユニット３５の機能により、図６に示すように、表示部７を任意の角度に調節することができる。
さらに、このようなチルト状態において、回転機構部ケース１１に対し表示部ケース８を回転して、表示部７を縦・横に回転操作することもできる。
ここで、以上のような機器の収納時や運搬時には表示部７のチルトが行えないようロック状態にする必要がある。
その場合には、本体ケース２の前ケース２ａに回転機構部ケース１１の後ケース１１ｂを重ねると、チルトロック及びレリーズレバー４１の係止爪４３が挿入穴３７から進入して係止溝３８にルーズに係止状態となる。従って、チルトロック状態となる。
また、このようなチルトロック状態でチルトロック及びレリーズレバー４１を手前側に指で引くと、支軸４２を支点にチルトロック及びレリーズレバー４１が回動して、係止爪４３が係止溝３８から外れて挿入穴３７から前方へ抜け出る。このチルトロックレリーズの時、回転機構部ケース１１の後ケース１１ｂの前面に当接した押し板部４４の弾性変形状態での蓄圧力によって、チルトロック及びレリーズレバー４１に対するレリーズ操作力が軽減され、即ち、軽い操作力でチルトロック及びレリーズレバー４１をレリーズ操作できる。
【００２７】
なお、以上の実施の形態例においては、表示部の回転と角度調節を手動により行うものとしたが、本発明はこれに限定されるものではなく、モータやソレノイド等の駆動源を用いて表示部の回転及び角度調節を自動で行わせるようにしてもよい。また、回転中心の画面中心に対するオフセットの位置（方向）と長さも任意であり、その他、具体的な細部構造等についても適宜に変更可能であることは勿論である。
【００２８】
【発明の効果】
以上のように、請求項１記載の発明に係る電子機器によれば、本体装置と表示部との間に介設した回転機構部によって、表示部を本体装置に対し縦・横に回転することができ、縦長画面及び横長画面でのフル表示を共に行うことができる。また、本体装置を縦置き型としたことによって、置いた状態での省スペースを実現することができる。しかも、回転機構部と本体装置との間に介設した回動部によって、表示部を本体装置に対し回転機構部と一体的に上端側を支点として前方へ回動してチルトすることができ、即ち、表示画面が見易い位置に表示部を前方へチルトして表示部を任意の角度位置にセットすることができる。また、本体装置に対し回転機構部と一体的に表示部をチルトすることができるため、チルト状態であっても表示部を回転機構部により回転させることができる。
その上、表示部の回動動作の過程において、回転機構部ケース前面の円形穴の周囲に沿って後側に配置され、表示部背面に固定した回転部材の外周のギヤ部に、回転機構部ケース内に固定したダンパが噛み合っているので、このダンパにより回転操作力に対し一定の抵抗力を与えて、回転速度差を小さく抑えることにより、操作感を良くすると共に、衝撃を与えることがなく、例えば、重心の位置がずれていても回転するようなことがなく、また、回転の途中で止めてもその位置で止まり、不自然に回転するようなこともない。
さらに、回転機構部ケースの前面に、回転部材の回転中心を中心とする複数の円弧状溝を形成し、その複数の円弧状溝に沿って円周方向にスライドするキャッチ部品取付ボス及びＴ字形リブを、表示部の背面に固定したので、回転部材の回転中心を中心とする複数の円弧状溝に沿ってキャッチ部品取付ボス及びＴ字形リブが移動することにより表示部が回転する。
また、回転機構部ケースの前面の後側に突出して１本の円弧状溝を後方から閉じるトンネル部を一体に形成することで、他の開放形状の円弧状溝を有しながら回転機構部ケースの前面の強度を上げることができる。
しかも、後方から閉じるトンネル部を有する１本の円弧状溝の端部に乗り上げ可能なＴ字形リブを有しているので、表示部が縦・横の姿勢状態において、トンネル部を有する１本の円弧状溝の端部にＴ字形リブの上面が乗り上がることにより、回転機構部ケースに対する支持強度を上げることができる。
【００２９】
なお、請求項２記載の発明に係る電子機器によれば、回転機構部ケースの角部を曲面により形成したため、請求項１記載の発明の如く本体装置に対し表示部を回転する際に、例えば、回転機構部ケースが大形状の場合に、本体装置に固定側の回転機構部ケースの角部が邪魔になるようなことをなくして、ケース角部の曲面形状により手指をガイドして操作性を向上することができる。
【００３０】
そして、請求項３記載の発明に係る電子機器によれば、回転機構部による表示部の回転中心を、表示画面の画面中心からずらしたことによって、本体装置に対する表示部の縦・横への回転による縦長表示画面及び横長表示画面のときの画面位置を最適に設定することができる。また、表示部の回転中心を表示画面の画面中心からずらすだけの簡単な構造のため、コストダウンも達成することができる。
【００３１】
なお、請求項４記載の発明に係る電子機器によれば、例えば、表示画面の画面中心からずらした位置を中心とする円弧状溝とすることで、請求項３記載の発明の如く表示部を本体装置に対し画面中心からずらした位置を中心として縦・横に回転させることができる。
また、以上のような回転過程を経て表示部が縦・横の回転位置に至ると、回転機構部ケース前面の後側に突出して一体に形成され、開放形状の円弧状溝の端部外側に位置するキャッチ用ボスに、キャッチ部品取付ボスに各々回動自在に組み付けたキャッチ部品がそれぞれ係合状態となって、表示部の縦・横の姿勢が保持される。
【図面の簡単な説明】
【図１】本発明を適用した電子機器の一例としてのパソコンの外観を示す概略斜視図である。
【図２】図１のパソコンにおける本体装置に対する表示部の回転機能を示するもので、（ａ）は横長表示画面の状態を示した斜視図、（ｂ）は表示部の回転途中の状態を示した斜視図、（ｃ）は縦長表示画面の状態を示した斜視図である。
【図３】図１のパソコンにおける本体装置と表示部の関係を示すもので、本体装置と表示部との間に介設される回転機構部を透視状態で示した概略正面図である。
【図４】図３の本体装置と表示部と回転機構部及びそのケースの要部縦断側面図である。
【図５】図３及び図４に示される回転機構部及びそのケースの分解斜視図である。
【図６】図１のパソコンにおける本体装置に対する表示部のチルト状態を示した概略側面図である。
【図７】  図３及び図４と図６に示されるチルト用レリーズ機構部の構成を示す一部破断の要部拡大側面図である。
【符号の説明】
１  本体装置
７  表示部
９  表示画面
１０  回転機構部
１１  回転機構部ケース
１２  曲面
１４，１５  円弧状溝
１６  トンネル部
１８  キャッチ用ボス
２５  Ｔ字形リブ
２７  キャッチ部品
３１  リング状回転部材
３２  ギヤ部
３４  オイルダンパ
３５  回動部（チルトユニット）
３７  挿入穴
３８  係止溝
４１  チルトロック及びレリーズレバー
４３  係止爪
Ｏ1  回転中心
Ｏ2  画面中心
【図１】
0003765125.tif 000002
【図２】
0003765125.tif 000003
【図３】
0003765125.tif 000004
【図４】
0003765125.tif 000005
【図５】
0003765125.tif 000006
【図６】
0003765125.tif 000007
【図７】
0003765125.tif 000008